(57)【要約】【課題】  本発明は、操作権のある端末の決定、操作内容の一括提示、ユーザの通信環境や端末環境に応じて映像を提供する、映像の付加情報の集計及び情報の提示を可能にする。【解決手段】  本発明は、端末から映像再生操作に関する情報と、コメントに関する情報を受け付け、映像再生操作の操作権を管理し、操作権を有するユーザの端末の情報、各ユーザの通信環境や端末環境を管理し、ユーザに指定された映像コンテンツＩＤ及びユーザの通信環境や端末環境に基づいて、記憶手段を検索し、映像コンテンツに関する情報と映像コンテンツを取得し、ユーザに指定された映像コンテンツＩＤの映像再生操作に関する情報とコメントに関する情報を集計し、得られた映像操作内容を一括してユーザのコンピュータ端末に提示する。【選択図】  図１
2006108895.tif 000002
【特許請求の範囲】
【請求項１】
映像操作内容をユーザのコンピュータ端末に提示する、該ユーザのコンピュータ端末の映像再生操作の権利を制御するサーバにおける映像操作内容の提示・映像再生操作の権利制御方法において、
映像再生操作の操作権を管理し、操作権を有するユーザのコンピュータ端末の情報を記憶手段に格納することにより管理する操作権管理ステップと、
前記ユーザのコンピュータ端末から、映像コンテンツＩＤ、ユーザに関する情報、該コンピュータ端末に関する情報、及び、映像再生操作に関する情報を受け取るユーザ指示受付ステップと、
前記ユーザに関する情報及び前記コンピュータ端末に関する情報に基づいて、前記記憶手段で管理されている内容と照合し、映像再生操作の操作権及び、該操作権を有するユーザのコンテンツ端末からの情報である場合に、前記映像コンテンツＩＤに基づいて、映像コンテンツ情報を格納する映像コンテンツ情報記憶手段を検索して映像コンテンツ情報を取得する検索ステップと、
前記ユーザのコンピュータ端末に対して、前記検索ステップで得られた前記映像コンテンツ情報及び前記ユーザ指示受付ステップで得られた前記映像再生操作に関する情報からなる映像操作内容を一括して前記ユーザのコンピュータ端末に送信する提示ステップと、
を行うことを特徴とする映像操作内容の提示・映像再生操作の権利制御方法。
【請求項２】
映像操作内容をユーザのコンピュータ端末に提示する、該ユーザのコンピュータ端末の映像再生操作の権利を制御する映像操作内容の提示・映像再生操作の権利制御装置であって、
映像コンテンツ情報を格納する映像コンテンツ記憶手段と、
前記ユーザのコンピュータ端末から、映像コンテンツＩＤ、ユーザに関する情報、該コンピュータ端末に関する情報、及び、映像再生操作に関する情報を受け取るユーザ指示受付手段と、
映像再生操作の操作権及び該操作権を有するユーザのコンピュータ端末を管理し、前記ユーザ指示受付手段において受け付けた前記ユーザに関する情報及び前記コンピュータ端末に関する情報と、管理している情報とを照合し、映像再生操作の操作権及び、該操作権を有するユーザのコンテンツ端末からの情報であるかを判定する操作権管理手段と、
前記操作権管理手段において、映像再生操作の操作権及び、該操作権を有するユーザのコンテンツ端末からの情報であると判定された場合に、前記映像コンテンツＩＤに基づいて、前記映像コンテンツ情報記憶手段を検索して映像コンテンツ情報を取得する検索手段と、
前記ユーザのコンピュータ端末に対して、前記検索手段で得られた前記映像コンテンツ情報及び前記ユーザ指示受付手段で得られた前記映像再生操作に関する情報からなる映像操作内容を一括して前記ユーザのコンピュータ端末に送信する提示手段と、
を有することを特徴とする映像操作内容の提示・映像再生操作の権利制御装置。
【請求項３】
映像操作内容をユーザのコンピュータ端末に提示する、該ユーザのコンピュータ端末の映像再生操作の権利を制御する映像操作内容の提示・映像再生操作の権利制御プログラムを格納した記憶媒体であって、
前記請求項１記載の映像操作内容の提示・映像再生操作の権利制御方法を実現するための処理をコンピュータに実行させるプログラムを格納したことを特徴とする映像操作内容の提示・映像再生操作の権利制御プログラムを格納した記憶媒体。
【請求項４】
映像再生・映像再生操作における表示制御を同期させるサーバにおける、映像再生・映像再生操作の同期方法において、
各ユーザの通信環境やコンピュータ端末環境を記憶手段に格納することにより管理し、コンピュータ端末からログインされると、各映像のコンテンツについて、各ユーザの通信環境やコンピュータ端末環境に応じて、複数のサイズ・ファイル形式の映像コンテンツ情報を格納する映像コンテンツ情報格納手段を前記ユーザの通信環境や前記コンピュータ端末環境に基づいて検索し、ログインした該コンピュータ端末に対して映像コンテンツ情報を送信する同期制御ステップを行うことを特徴とする映像再生・映像再生操作の同期方法。
【請求項５】
映像再生・映像再生操作における表示制御を同期させる映像再生・映像再生操作の同期装置であって、
各映像のコンテンツについて、各ユーザの通信環境やコンピュータ端末環境に応じて、複数のサイズ・ファイル形式の映像コンテンツ情報を格納する映像コンテンツ情報格納手段と、
各ユーザの通信環境やコンピュータ端末環境を記憶手段に格納することにより管理し、コンピュータ端末からログインされると、該コンピュータ端末の通信環境やコンピュータ端末環境に基づいて、前記映像コンテンツ情報格納手段を前記ユーザの通信環境や前記コンピュータ端末環境に基づいて検索し、ログインした該コンピュータ端末に対して映像コンテンツ情報を送信する同期制御手段と、
を有することを特徴とする映像再生・映像再生操作の同期装置。
【請求項６】
映像再生・映像再生操作における表示制御を同期させる映像再生・映像再生操作の同期プログラムを格納した記憶媒体であって、
前記請求項４記載の映像再生・映像再生操作の同期方法を実現するための処理をコンピュータに実行させるプログラムを格納したことを特徴とする映像再生・映像再生操作の同期プログラムを格納した記憶媒体。
【請求項７】
映像を複数のコンピュータ端末間で共有し、映像の表示制御を同期する方法やシステムにおいて、映像コンテンツに関する付加情報を集計・提示するサーバにおける、映像付加情報の集計・提示方法において、
ユーザのコンピュータ端末から映像再生操作に関する情報とコメントに関する情報を受け取る映像コンテンツ表示操作指定受付ステップと、
前記コンピュータ端末から指定された映像コンテンツＩＤ毎に映像再生操作に関する情報と前記コメントに関する情報を集計し、記憶手段に格納する集計・格納ステップと、
前記ユーザのコンピュータ端末に対して、映像操作内容を一括して送信する映像コンテンツ表示操作内容提示ステップと、
を行うことを特徴とする映像付加情報集計・提示方法。
【請求項８】
映像を複数のコンピュータ端末間で共有し、映像の表示制御を同期する方法やシステムにおいて、映像コンテンツに関する付加情報を集計・提示する映像付加情報の集計・提示装置であって、
コンテンツＩＤ毎に映像再生操作に関する情報とコメントに関する情報を格納する映像コンテンツ付加情報格納手段と、
ユーザのコンピュータ端末から映像再生操作に関する情報とコメントに関する情報を受け取る映像コンテンツ表示操作指定受付手段と、
前記コンピュータ端末から指定された映像コンテンツＩＤ毎に映像再生操作に関する情報と前記コメントに関する情報を集計し、前記コンテンツ付加情報格納手段に格納する集計・格納手段と、
前記ユーザのコンピュータ端末に対して、映像操作内容を一括して送信する映像コンテンツ表示操作内容提示手段と、
を有することを特徴とする映像付加情報集計・提示装置。
【請求項９】
映像を複数のコンピュータ端末間で共有し、映像の表示制御を同期する方法やシステムにおいて、映像コンテンツに関する付加情報を集計・提示する映像付加情報の集計・提示プログラムを格納した記憶媒体であって、
前記請求項７記載の映像付加情報集計・提示方法を実現するための処理をコンピュータに実行させるプログラムを格納したことを特徴とする映像付加情報の集計・提示プログラムを格納した記憶媒体。
【請求項１０】
サーバ上で行われる、映像操作内容の提示、映像再生操作の権利制御、映像再生、映像再生操作の同期、映像付加情報の集計・提示方法において、
ユーザのコンピュータ端末から映像再生操作に関する情報と、コメントに関する情報を受け取るユーザ指示受付ステップと、
映像再生操作の操作権を管理し、操作権を有するユーザのコンピュータ端末の情報、各ユーザの通信環境やコンピュータ端末環境を記憶手段に格納することにより管理する操作権管理ステップと、
前記ユーザ指示受付ステップで指定された映像コンテンツＩＤに基づいて、映像コンテンツＩＤ毎、及びユーザの通信環境、ユーザのコンピュータ端末環境毎に映像コンテンツに関する情報を格納する映像コンテンツ記憶手段を検索し、映像コンテンツに関する情報を検索すると共に、前記ユーザの通信環境や前記コンピュータ端末環境に応じて、該映像コンテンツ記憶手段を検索し、映像コンテンツを検索する検索ステップと、
前記ユーザ指示受付ステップで指定された映像コンテンツＩＤの映像再生操作に関する情報とコメントに関する情報を集計し、映像コンテンツ付加情報記憶手段に格納する付加情報集計ステップと、
前記検索ステップ及び前記付加情報集計ステップで得られた映像操作内容を一括して前記ユーザのコンピュータ端末に送信する提示ステップと、
を行うことを特徴とする映像操作内容の提示、映像再生操作の権利制御、映像再生、映像再生操作の同期、映像付加情報の集計・提示方法。
【請求項１１】
映像操作内容の提示、映像再生操作の権利制御、映像再生、映像再生操作の同期、映像付加情報の集計・提示装置であって、
映像コンテンツＩＤ毎、及びユーザの通信環境、ユーザのコンピュータ端末環境毎に映像コンテンツに関する情報を格納する映像コンテンツ記憶手段と、
映像再生操作の操作権を管理し、操作権を有するユーザのコンピュータ端末の情報、各ユーザの通信環境やコンピュータ端末環境を記憶手段に格納することにより管理する操作権管理手段と、
映像コンテンツＩＤ毎に映像再生操作に関する情報とコメントに関する情報を格納する映像コンテンツ付加情報記憶手段と、
ユーザのコンピュータ端末から映像再生操作に関する情報と、コメントに関する情報を受け取るユーザ指示受付手段と、
前記ユーザ指示受付手段で指定された映像コンテンツＩＤに基づいて、前記映像コンテンツ記憶手段を検索し、映像コンテンツに関する情報を検索すると共に、前記操作権管理手段の前記ユーザの通信環境や前記コンピュータ端末環境に応じて、該映像コンテンツ記憶手段を検索し、映像コンテンツを検索する検索手段と、
前記ユーザ指示受付手段で指定された映像コンテンツＩＤの映像再生操作に関する情報とコメントに関する情報を集計し、前記映像コンテンツ付加情報記憶手段に格納する付加情報集計手段と、
前記検索手段及び前記付加情報集計手段で得られた映像操作内容を一括して前記ユーザのコンピュータ端末に送信する提示手段と、
を有することを特徴とする映像操作内容の提示、映像再生操作の権利制御、映像再生、映像再生操作の同期、映像付加情報の集計・提示装置。
【請求項１２】
映像操作内容の提示、映像再生操作の権利制御、映像再生、映像再生操作の同期、映像付加情報の集計・提示プログラムを格納した記憶媒体であって、
前記請求項１０記載の映像操作内容の提示、映像再生操作の権利制御、映像再生、映像再生操作の同期、映像付加情報の集計・提示方法を実現するための処理をコンピュータに実行させるプログラムを格納したことを特徴とする映像操作内容の提示、映像再生操作の権利制御、映像再生、映像再生操作の同期、映像付加情報の集計・提示プログラムを格納した記憶媒体。
【発明の詳細な説明】
【技術分野】
【０００１】
本発明は、映像操作内容の提示・映像再生操作の権利制御方法及びシステム及びプログラム及び映像再生・映像再生操作の同期方法及びシステム及びプログラム及び映像付加情報の集計・提示方法及びシステム及びプログラムに係り、特に、インターネット等のネットワークを用いて、遠隔多地点に分散した複数のユーザのコンピュータ端末間で、映像コンテンツを共有する、あるいは、共有して活用する、映像共有方法やシステムにおいて、
（１）映像操作内容の提示と映像再生操作の権利制御を行うための映像操作内容の提示・映像再生操作の権利制御方法及びシステム及びプログラム；
（２）通信環境やコンピュータ端末環境に応じた映像コンテンツを活用し、映像再生や映像再生操作の同期の制約を軽減する映像再生・映像再生操作の同期方法及びシステム及びプログラム；
（３）映像コンテンツに関する付加情報を集計・提示するための映像付加情報の集計・提示方法及びシステム及びプログラム；
（４）映像操作内容の提示と映像再生操作の権利制御と、通信環境やコンピュータ端末環境に応じた映像コンテンツを活用し、映像再生や映像再生操作の同期制約の軽減と、映像コンテンツに関する付加情報を集計・提示する映像操作内容の提示・映像再生操作の権利制御・映像再生・映像再生操作の同期・映像付加情報の集計・提示方法及びシステム及びプログラム；に関する。
【背景技術】
【０００２】
現在、インターネット等のネットワークを用いて、映像コンテンツを共有しよう、あるいは共有して活用しようという場やそのための方法がある。
【０００３】
例えば、個人のWebＰageや遠隔会議システムである。
【０００４】
それらの方法やシステムには、
（１）一地点で登録した映像コンテンツをコミュニティシステム内で共有できるようにし、かつ一斉に表示制御操作を行う方法やシステム；
（２）映像再生操作を全てのコンピュータ端末で同期するために、様々な通信環境やコンピュータ端末環境の混在を考慮する方法やシステム；
（３）コンピュータ端末上で、複数の映像を見ながら、コミュニケーションする方法やシステム；
（４）コミュニケーションの状況や、映像再生の状況を情報として提示する方法やシステム；
等がある。
【０００５】
しかしながら、上記の従来の技術には以下のような問題がある。
【０００６】
（課題１）映像操作の内容がわからない、他のコンピュータ端末との映像同期の状況が確認できない、映像再生操作の権利制御が必要となる。
【０００７】
このような問題を解決するために、インターネット等のネットワークを用いて、遠隔多地点に分散した複数のユーザのコンピュータ端末間で、映像コンテンツを共有すること、あるいは共有して活用することが考えられている。
【０００８】
そのための技術（以下、第１の技術と記す）として、例えば、一地点で登録した映像コンテンツをコミュニティシステム内で共有できるようにし、かつ、一斉に表示制御操作を行い得るようにするものがある（例えば、特許文献１参照）。
【０００９】
（課題２）様々な通信環境やコンピュータ端末環境の混在状況での映像同期には制約がある。
【００１０】
映像再生操作を全てのコンピュータ端末で同期するためには、様々な通信環境やコンピュータ端末環境が混在しているので、それらを考慮する必要がある。
【００１１】
そのための技術（以下、第２の技術と記す）としては、テレビ会議などの付帯設備として動画像を資料として用いて議論するための動画像再生システムにおいて、動画像でコーダのデコード遅延時間と回線バッファによる遅延時間を記憶しておき、クライアントでの動画像の再生開始時間を算出する技術がある（例えば、特許文献２参照）。
【００１２】
（課題３）コンピュータ端末間での複数映像の同期再生に関する問題がある。
【００１３】
映像コンテンツを編集する等のように、コンピュータ端末上で、複数の映像を見ながら、コミュニケーション等を実施する方が効率よく仕事ができることがある。そのための技術（以下、第３の技術と記す）としては、コンピュータ端末ないで各映像コンテンツ間の同期を取るシステムである。同じ場面を複数のカメラで撮影している時に、それらの映像を編集するために、コンピュータ端末内でそれらの映像を同期して再生するのは場合には有効である（例えば、特許文献３参照）。
【００１４】
（課題４）映像再生回数等の映像再生の状況やコメント数等のコメント状況のような映像コンテンツに付加する情報を提示することはできない。
【００１５】
インターネット等のネットワークを用いて、遠隔多地点に分散した複数のユーザのコンピュータ端末間で、映像コンテンツを共有しよう、あるいは共有して活用しようという、映像共有方法やシステムでは、コミュニケーションの状況や、映像再生の状況を情報として提示することにより、コミュニケーションが活発になったり、映像の登録・再生が積極的になされる。そのための技術（以下、第４の技術と記す）として例えば、各会議室の発言した回数を表示したり、会議状況を表示したりするものである（例えば、特許文献４，５参照）。
【特許文献１】特開２００２−２４７５４１「多地点映像表示制御方法及び多地点映像表示制御を行う遠隔会議システム」
【特許文献２】特開２００２−１５２６９９「動画像を同期して再生する方法及びそのシステム」
【特許文献３】特開２００４−３２３４１「複数映像選択型端末装置及びそのためのプログラム」
【特許文献４】特開平５−２０７４５６「発言回数の統計を表示する多地点テレビ会議制御装置」
【特許文献５】特開平５−３００５０９「会議状況表示処理方法」
【発明の開示】
【発明が解決しようとする課題】
【００１６】
しかしながら、上記第１の技術による方法では、どのユーザが映像再生操作を実施しても、全てのコンピュータ端末に同期して映像再生操作がなされるように、映像コンテンツの表示制御は、サーバから各ユーザのコンピュータ端末に対して、一斉に表示制御表示を一方的に指示するだけである。そのため、誰がどのような映像再生操作を実施したのか等が、映像再生操作を実施した本人以外にはわからないことがある。
【００１７】
また、各ユーザは自分のコンピュータ端末だけを見ているので、本当に全てのコンピュータ端末に同期して映像再生操作がなされていることを確認することはできない。
【００１８】
さらに、どのユーザの映像再生操作も全てのコンピュータ端末に同期して映像再生操作がなされるため、必ずしも統率のとれた映像再生操作になるとは限らない。
【００１９】
また、上記第２の技術による方法では、遅延時間が想定されている事項にのみ起因し、さらに、それらの遅延時間が常に固定であることが保証されている場合のみ有効である。そのため、サーバと各クライアント間を経由する複数の通信回線の通信状況や、サーバと各クライアントのＣＰＵ／メモリ使用状況等は刻々変化するので、映像の同期を完全に実現できるわけではない。
【００２０】
また、上記第３の技術による方法では、コンピュータ端末間での複数映像の同期を想定していない。また、映像コンテンツを一時記憶装置に蓄積保存しておいたり、映像の同期は先頭からの再生のみ等の制約が生じる。そのため、複数映像を比較してみるために、相互に少しずつ進めて見たいような利用シーンでは意味がなく、不十分である。
【００２１】
また、上記第４の技術による方法では、会議、コミュニケーション状況の情報の提示のみであり、会議、コミュニケーション環境にのみ有効である。そのため、映像再生回数やコメント数等の映像再生やコメント付与がなされる環境には不十分であり、映像再生の状況やコメント状況のような情報を提示することはできない。
本発明は、上記の点に鑑みなされたもので、
（１）映像の操作内容がわからない、他のコンピュータ端末との映像同期の状況が確認できない、映像再生操作の権利制御が必要になるなどの問題を解決した映像操作内容の提示・映像再生操作の権利制御方法及びシステム及びプログラムを提供すること、
（２）様々な通信環境やコンピュータ端末環境の混在状況での映像同期の制約があるという問題を解決した映像再生・映像再生操作の同期方法及びシステム及びプログラムを提供すること、
（３）コンピュータ端末間での複数映像の同期再生を可能とした映像再生・映像再生操作の同期方法及びシステム及びプログラムを提供すること、
（４）映像再生回数等の映像再生状況やコメント数等のコメント状況のような映像コンテンツに付加する情報を提示することを可能とする映像付加情報の集計・提示方法及びシステム及びプログラムを提供することを目的とする。
【課題を解決するための手段】
【００２２】
図１は、本発明の原理を説明するための図である。
【００２３】
本発明（請求項１）は、映像操作内容をユーザのコンピュータ端末に提示する、該ユーザのコンピュータ端末の映像再生操作の権利を制御するサーバにおける映像操作内容の提示・映像再生操作の権利制御方法において、
映像再生操作の操作権を管理し、操作権を有するユーザのコンピュータ端末の情報を記憶手段に格納することにより管理する操作権管理ステップ（ステップ１）と、
ユーザのコンピュータ端末から、映像コンテンツＩＤ、ユーザに関する情報、該コンピュータ端末に関する情報、及び、映像再生操作に関する情報を受け取るユーザ指示受付ステップ（ステップ２）と、
ユーザに関する情報及びコンピュータ端末に関する情報に基づいて、記憶手段で管理されている内容と照合し（ステップ３）、映像再生操作の操作権及び、該操作権を有するユーザのコンテンツ端末からの情報である場合に、映像コンテンツＩＤに基づいて、映像コンテンツ情報を格納する映像コンテンツ情報記憶手段を検索して映像コンテンツ情報を取得する検索ステップ（ステップ４）、
ユーザのコンピュータ端末に対して、検索ステップで得られた映像コンテンツ情報及びユーザ指示受付ステップで得られた映像再生操作に関する情報からなる映像操作内容を一括してユーザのコンピュータ端末に送信する提示ステップ（ステップ５）と、を行う。
【００２４】
図２は、本発明の原理構成図である。
【００２５】
本発明（請求項２）は、映像操作内容をユーザのコンピュータ端末に提示する、該ユーザのコンピュータ端末の映像再生操作の権利を制御する映像操作内容の提示・映像再生操作の権利制御装置であって、
映像コンテンツ情報を格納する映像コンテンツ記憶手段４と、
ユーザのコンピュータ端末から、映像コンテンツＩＤ、ユーザに関する情報、該コンピュータ端末に関する情報、及び、映像再生操作に関する情報を受け取るユーザ指示受付手段２と、
映像再生操作の操作権及び該操作権を有するユーザのコンピュータ端末を管理し、ユーザ指示受付手段において受け付けたユーザに関する情報及びコンピュータ端末に関する情報と、管理している情報とを照合し、映像再生操作の操作権及び、該操作権を有するユーザのコンテンツ端末からの情報であるかを判定する操作権管理手段３と、
操作権管理手段３において、映像再生操作の操作権及び、該操作権を有するユーザのコンテンツ端末からの情報であると判定された場合に、映像コンテンツＩＤに基づいて、映像コンテンツ情報記憶手段を検索して映像コンテンツ情報を取得する検索手段１０と、
ユーザのコンピュータ端末に対して、検索手段１０で得られた映像コンテンツ情報及びユーザ指示受付手段２で得られた映像再生操作に関する情報からなる映像操作内容を一括してユーザのコンピュータ端末に送信する提示手段５と、を有する。
【００２６】
本発明（請求項３）は、映像操作内容をユーザのコンピュータ端末に提示する、該ユーザのコンピュータ端末の映像再生操作の権利を制御する映像操作内容の提示・映像再生操作の権利制御プログラムを格納した記憶媒体であって、
請求項１記載の映像操作内容の提示・映像再生操作の権利制御方法を実現するための処理をコンピュータに実行させるプログラムを格納した記憶媒体である。
【００２７】
本発明（請求項４）は、映像再生・映像再生操作における表示制御を同期させるサーバにおける、映像再生・映像再生操作の同期方法において、
各ユーザの通信環境やコンピュータ端末環境を記憶手段に格納することにより管理し、コンピュータ端末からログインされると、各映像のコンテンツについて、各ユーザの通信環境やコンピュータ端末環境に応じて、複数のサイズ・ファイル形式の映像コンテンツ情報を格納する映像コンテンツ情報格納手段をユーザの通信環境やコンピュータ端末環境に基づいて検索し、ログインした該コンピュータ端末に対して映像コンテンツ情報を送信する同期制御ステップを行う。
【００２８】
本発明（請求項５）は、映像再生・映像再生操作における表示制御を同期させる映像再生・映像再生操作の同期装置であって、
各映像のコンテンツについて、各ユーザの通信環境やコンピュータ端末環境に応じて、複数のサイズ・ファイル形式の映像コンテンツ情報を格納する映像コンテンツ情報格納手段と、
各ユーザの通信環境やコンピュータ端末環境を記憶手段に格納することにより管理し、コンピュータ端末からログインされると、該コンピュータ端末の通信環境やコンピュータ端末環境に基づいて、映像コンテンツ情報格納手段をユーザの通信環境やコンピュータ端末環境に基づいて検索し、ログインした該コンピュータ端末に対して映像コンテンツ情報を送信する同期制御手段と、を有する。
【００２９】
本発明（請求項６）は、映像再生・映像再生操作における表示制御を同期させる映像再生・映像再生操作の同期プログラムを格納した記憶媒体であって、
請求項４記載の映像再生・映像再生操作の同期方法を実現するための処理をコンピュータに実行させるプログラムを格納した記憶媒体である。
【００３０】
本発明（請求項７）は、映像を複数のコンピュータ端末間で共有し、映像の表示制御を同期する方法やシステムにおいて、映像コンテンツに関する付加情報を集計・提示するサーバにおける、映像付加情報の集計・提示方法において、
ユーザのコンピュータ端末から映像再生操作に関する情報とコメントに関する情報を受け取る映像コンテンツ表示操作指定受付ステップと、
コンピュータ端末から指定された映像コンテンツＩＤ毎に映像再生操作に関する情報とコメントに関する情報を集計し、記憶手段に格納する集計・格納ステップと、
ユーザのコンピュータ端末に対して、映像操作内容を一括して送信する映像コンテンツ表示操作内容提示ステップと、を行う。
【００３１】
本発明（請求項８）は、映像を複数のコンピュータ端末間で共有し、映像の表示制御を同期する方法やシステムにおいて、映像コンテンツに関する付加情報を集計・提示する映像付加情報の集計・提示装置であって、
コンテンツＩＤ毎に映像再生操作に関する情報とコメントに関する情報を格納する映像コンテンツ付加情報格納手段と、
ユーザのコンピュータ端末から映像再生操作に関する情報とコメントに関する情報を受け取る映像コンテンツ表示操作指定受付手段と、
コンピュータ端末から指定された映像コンテンツＩＤ毎に映像再生操作に関する情報とコメントに関する情報を集計し、コンテンツ付加情報格納手段に格納する集計・格納手段と、
ユーザのコンピュータ端末に対して、映像操作内容を一括して送信する映像コンテンツ表示操作内容提示手段と、を有する。
【００３２】
本発明（請求項９）は、映像を複数のコンピュータ端末間で共有し、映像の表示制御を同期する方法やシステムにおいて、映像コンテンツに関する付加情報を集計・提示する映像付加情報の集計・提示プログラムを格納した記憶媒体であって、
請求項７記載の映像付加情報集計・提示方法を実現するための処理をコンピュータに実行させるプログラムを格納した記憶媒体である。
【００３３】
本発明（請求項１０）は、サーバ上で行われる、映像操作内容の提示、映像再生操作の権利制御、映像再生、映像再生操作の同期、映像付加情報の集計・提示方法において、
ユーザのコンピュータ端末から映像再生操作に関する情報と、コメントに関する情報を受け取るユーザ指示受付ステップと、
映像再生操作の操作権を管理し、操作権を有するユーザのコンピュータ端末の情報、各ユーザの通信環境やコンピュータ端末環境を記憶手段に格納することにより管理する操作権管理ステップと、
ユーザ指示受付ステップで指定された映像コンテンツＩＤに基づいて、映像コンテンツＩＤ毎、及びユーザの通信環境、ユーザのコンピュータ端末環境毎に映像コンテンツに関する情報を格納する映像コンテンツ記憶手段を検索し、映像コンテンツに関する情報を検索すると共に、ユーザの通信環境やコンピュータ端末環境に応じて、該映像コンテンツ記憶手段を検索し、映像コンテンツを検索する検索ステップと、
ユーザ指示受付ステップで指定された映像コンテンツＩＤの映像再生操作に関する情報とコメントに関する情報を集計し、映像コンテンツ付加情報記憶手段に格納する付加情報集計ステップと、
検索ステップ及び付加情報集計ステップで得られた映像操作内容を一括してユーザのコンピュータ端末に送信する提示ステップと、
を行う。
【００３４】
本発明（請求項１１）は、映像操作内容の提示、映像再生操作の権利制御、映像再生、映像再生操作の同期、映像付加情報の集計・提示装置であって、
映像コンテンツＩＤ毎、及びユーザの通信環境、ユーザのコンピュータ端末環境毎に映像コンテンツに関する情報を格納する映像コンテンツ記憶手段と、
映像再生操作の操作権を管理し、操作権を有するユーザのコンピュータ端末の情報、各ユーザの通信環境やコンピュータ端末環境を記憶手段に格納することにより管理する操作権管理手段と、
映像コンテンツＩＤ毎に映像再生操作に関する情報とコメントに関する情報を格納する映像コンテンツ付加情報記憶手段と、
ユーザのコンピュータ端末から映像再生操作に関する情報と、コメントに関する情報を受け取るユーザ指示受付手段と、
ユーザ指示受付手段で指定された映像コンテンツＩＤに基づいて、映像コンテンツ記憶手段を検索し、映像コンテンツに関する情報を検索すると共に、操作権管理手段のユーザの通信環境やコンピュータ端末環境に応じて、該映像コンテンツ記憶手段を検索し、映像コンテンツを検索する検索手段と、
ユーザ指示受付手段で指定された映像コンテンツＩＤの映像再生操作に関する情報とコメントに関する情報を集計し、映像コンテンツ付加情報記憶手段に格納する付加情報集計手段と、
検索手段及び付加情報集計手段で得られた映像操作内容を一括してユーザのコンピュータ端末に送信する提示手段と、を有する。
【００３５】
本発明（請求項１２）は、映像操作内容の提示、映像再生操作の権利制御、映像再生、映像再生操作の同期、映像付加情報の集計・提示プログラムを格納した記憶媒体であって、
請求項１０記載の映像操作内容の提示、映像再生操作の権利制御、映像再生、映像再生操作の同期、映像付加情報の集計・提示方法を実現するための処理をコンピュータに実行させるプログラムを格納した記憶媒体である。
【発明の効果】
【００３６】
上記のように、本発明によれば、映像操作内容の提示と映像再生操作の権利制御ができ、
１）誰がどのような映像再生操作を実施したのか等が、すべてのユーザに判らせることができ、
２）各ユーザは自分のコンピュータ端末で、他のコンピュータ端末との映像土器の状況を確認することができ、
３）どのユーザの映像再生操作もすべてのコンピュータ端末に同期して、映像再生操作がなされる方法やシステムであっても、映像再生操作を統率のとれたものにコントロールすることができる。
【００３７】
また、本発明によれば、通信環境やコンピュータ端末環境に応じた映像コンテンツを活用し、映像再生や映像再生操作の同期の制約を軽減することができ、
１）特に、通信環境が劣る環境のコンピュータ端末があっても、映像再生の遅れを改善することができ、
２）特に、通信環境が劣ったり、他のコンピュータ端末のプレーヤ等のソフト環境が異なるコンピュータ端末があっても、映像再生の同期を改善でき、
３）コンピュータ端末間での複数映像の同期再生を実現できる。
【００３８】
さらに、映像コンテンツに関する付加情報を集計・格納・提示することができ、コミュニケーションが活発になったり、映像コンテンツの登録・再生を積極的に行うことができる。
【発明を実施するための最良の形態】
【００３９】
以下、図面と共に本発明の実施の形態を説明する。
【００４０】
なお、以下の説明に使用する全図面において、同一機能を有するものについては同一符号を付し、繰り返しの説明は省略する。
【００４１】
［第１の実施の形態］
図３は、本発明の第１の実施の形態におけるサーバの構成を示す。
【００４２】
同図に示すサーバは、制御部１、映像コンテンツ表示操作指定部２、映像コンテンツ表示制御操作管理部３、映像コンテンツ情報格納部４、映像コンテンツ表示操作内容提示部５から構成される。
【００４３】
制御部１は、各部の動作を制御する。
【００４４】
映像コンテンツ表示操作指定部２は、ユーザのコンピュータ端末からコンテンツを識別する情報（ＩＤ）、映像再生操作に関する情報、映像再生操作者を識別する情報（ＩＤ）、映像中のポジション等を受け取る。ここで、映像再生操作に関する情報とは、「再生」「一時停止」「リスタート」「早送り」「巻き戻し」「コマ送り」、「停止」等の操作を指す。
【００４５】
映像コンテンツ表示制御操作管理部３は、映像再生操作の操作権、及び操作権を有するユーザのコンピュータ端末の情報を当該管理部３内のメモリ等の記憶手段に格納することにより管理する。
【００４６】
映像コンテンツ情報格納部４は、映像コンテンツ情報を格納しており、映像コンテンツ表示操作指定部２により検索される。
【００４７】
映像コンテンツ表示操作内容提示部５は、ユーザのコンピュータ端末に対して映像操作内容を一括して提示する。
【００４８】
次に、本実施の形態として、映像を複数のコンピュータ端末間で共有し、映像の表示制御を同期する方法やシステム上で、映像操作内容の提示と映像再生操作の権利制御をする動作について説明する。
【００４９】
図４は、本発明の第１の実施の形態における動作のフローチャートであり、サーバが全てのユーザのコンピュータ端末に対して映像操作内容の提示と映像再生操作の権利制御をする動作の基本アルゴリズムの一例である。
【００５０】
本実施の形態の動作を図４に示す動作アルゴリズムを用いて説明する。
【００５１】
ステップ１０１）映像コンテンツ表示操作指定部２は、ユーザのコンピュータ端末から、ユーザが指定する映像コンテンツＩＤ、映像再生操作者名、映像再生操作種別、映像中のポジション等の映像再生操作に関する情報を受け取る。
【００５２】
ステップ１０２）映像コンテンツ表示制御操作管理部３は、映像再生操作の操作権を管理し、操作権を有するユーザのコンピュータ端末からの映像再生操作に関する情報のみを有効な映像再生操作とみなす。
【００５３】
あるいは、映像コンテンツ表示制御操作管理部３は、映像再生操作の操作権を管理し、操作権を有するユーザのコンピュータ端末のみに、映像再生操作の権利を渡す。権利を渡す方法としては、例えば、操作権としてトークンを渡す等の方法がある。
【００５４】
ステップ１０３）映像コンテンツ情報格納部４は、映像コンテンツ情報を格納している。映像コンテンツ情報格納部４は、映像コンテンツ表示操作指定部２から取得したユーザが指定するコンテンツＩＤに基づいてコンテンツ情報を検索し、映像コンテンツ登録者ＩＤ、映像コンテンツ名称等の映像コンテンツに関する情報を映像コンテンツ表示操作指定部２に返却する。
【００５５】
ステップ１０４）  映像コンテンツ表示操作内容提示部５は、映像コンテンツ表示操作指定部２から、検索された映像コンテンツ登録者ＩＤ、映像コンテンツ名称等の映像コンテンツに関する情報と、ユーザのコンピュータ端末から取得した映像再生操作者ＩＤ、映像再生操作情報、映像中のポジション等の映像再生操作に関する情報を受け取り、それらに基づき、全てのユーザのコンピュータ端末に対して映像操作内容を一括して提示する。
【００５６】
映像コンテンツ表示操作内容提示部５は、映像コンテンツ表示操作指定部２が、ユーザのコンピュータ端末から、ユーザが指定する映像コンテンツＩＤ、映像再生操作者名、映像再生操作種別、映像中のポジション等の映像再生操作に関する情報を受け取った時、及び任意の時間間隔毎に、すべてのユーザのコンピュータ端末に対して映像操作内容を一括して提示する。
【００５７】
次に、上記のステップ１０２における、映像コンテンツ表示制御操作管理部３での映像再生操作の操作権を管理し、操作権を有するユーザのコンピュータ端末を管理する動作について説明する。
【００５８】
図５は、本発明の第１の実施の形態における映像コンテンツ表示制御操作管理部の動作のフローチャート（その１）である。同図では、操作権を有するユーザのコンピュータ端末からの映像再生操作であるかを判定する動作を示す。
【００５９】
ステップ１０２１）  映像コンテンツ表示制御操作管理部３は、映像コンテンツ表示操作指定部２から映像再生操作に関する情報を受け取る。
【００６０】
ステップ１０２２）  映像コンテンツ表示制御操作管理部３は、映像再生操作の操作権を有するユーザのコンピュータ端末からの映像再生操作であるかを判定する。
【００６１】
映像再生操作の操作権を付与・管理する方法は、例えば、
１）その映像コンテンツを登録したユーザが操作権を持つ、
２）その映像コンテンツを最初に映像再生操作した人が操作権を持つ、
３）システムに一番最初にアクセスした人が操作権を持つ、
４）ユーザ間で操作権を受け渡したユーザが操作権を持つ、
等の複数の方法から組み合わせて選択する。
【００６２】
ステップ１０２３）  映像コンテンツ表示制御操作管理部３は、映像再生操作の操作権を有するユーザのコンピュータ端末からの映像再生操作に関する情報のみを有効な映像再生操作と見做す。
【００６３】
次に、映像コンテンツ表示制御操作管理部３での映像再生操作の操作権を管理し、操作権を有するユーザのコンピュータ端末を管理する動作について説明する。
【００６４】
図６は、本発明の第１の実施の形態における映像コンテンツ表示制御操作管理部の動作のフローチャート（その２）である。同図では、ユーザのコンピュータ端末が操作権を有するかを判定する動作を示す。
【００６５】
ステップ１０２４）  映像コンテンツ表示制御操作管理部３は、映像再生操作の操作権を管理し、ユーザのコンピュータ端末が操作権を有するかを判定する。
【００６６】
映像再生操作の操作権を付与・管理する方法は、例えば、
１）その映像コンテンツを登録したユーザが操作権を持つ、
２）その映像コンテンツを最初に映像再生操作した人が操作権を持つ、
３）システムに一番最初にアクセスした人が操作権を持つ、
４）ユーザ間で操作権を受け渡したユーザが操作権を持つ、
等の複数の方法から組み合わせて選択する。
【００６７】
ステップ１０２５）  映像コンテンツ表示制御操作管理部３は、操作権を有するユーザのコンピュータ端末のみに、映像再生操作の権利を渡す。
【００６８】
ステップ１０２６）  映像コンテンツ表示制御操作管理部３は、操作権を有するユーザのコンピュータ端末のみから、映像再生操作に関する情報を受け取る。
【００６９】
次に、図４のステップ１０４における映像コンテンツ表示操作内容提示部５でのユーザのコンピュータ端末に対して映像操作内容を一括して提示する動作について説明する。
【００７０】
図７は、本発明の第１の実施の形態における映像コンテンツ表示操作内容提示部の動作のフローチャートである。
【００７１】
ステップ１０４１）  映像コンテンツ表示操作内容提示部５は、最初に操作権を有するユーザのコンピュータ端末から、有効な映像再生操作に関する情報を受け取ったときに、全てのユーザのコンピュータ端末に対して映像操作内容（映像再生操作に関する情報と映像コンテンツに関する情報）を一括して送信する。
【００７２】
ステップ１０４２）  映像コンテンツ表示操作内容提示部５は、操作権を有するユーザのコンピュータ端末から、有効な映像再生操作に関する情報を受け取った後、任意の時間間隔毎に、全てのユーザのコンピュータ端末に対して映像操作内容を一括して送信する。
【００７３】
ステップ１０４３）  映像コンテンツ表示操作内容提示部５は、操作権を有するユーザのコンピュータ端末から、有効な映像再生操作に関する情報を受け取る度に、全てのユーザのコンピュータ端末に対して映像操作内容を一括して送信する（なお、任意の時間間隔毎の、映像操作内容の提示よりも優先させる）。
【００７４】
ステップ１０４４）  映像コンテンツ表示操作内容提示部５は、操作権を有するユーザのコンピュータ端末から、有効な映像再生操作に関する情報を受け取る度に、タイマをリセットして、再度任意の時間間隔毎に、全てのユーザのコンピュータ端末に対して映像操作内容を一括して送信する。
【００７５】
なお、ステップ１０４１の処理は、サーバが最初に操作権を有するユーザのコンピュータ端末から、有効な映像再生操作を受け取ったときに１回だけ実施される。
【００７６】
また、ステップ１０４２の処理は、ステップ１０４１の処理の後、任意の時間間隔毎に実施される。
【００７７】
また、ステップ１０４３の処理は、サーバが２回目以降に、操作権を有するユーザのコンピュータ端末から、有効な映像再生操作に関する情報を受け取ったときに、１回ずつ本発明の一実施の形態におけるされる。なお、ステップ１０４３が実施されると、ステップ１０４２の処理は実施されない。
【００７８】
ステップ１０４４は、ステップ１０４３の処理の後、任意の時間間隔毎に実施される。
【００７９】
［第２の実施の形態］
本実施の形態では、映像を共有し、映像の表示制御を同期する方法やシステムで、通信環境やコンピュータ端末環境に応じた映像コンテンツを活用し、映像再生や映像再生操作の同期の制約を軽減する例を説明する。
【００８０】
図８は、本発明の第２の実施の形態におけるサーバの構成を示す。
【００８１】
同図に示すサーバは、制御部１、コンピュータ端末環境管理部６、映像コンテンツ情報格納部４から構成される。なお、同図では、本実施の形態を実現するたに必要なこの３つの構成要素のみを記載しているが、前述の図３の構成に、コンピュータ端末環境管理部６を設けた構成としてもよい。
【００８２】
制御部１は、コンピュータ端末環境管理部６及び映像コンテンツ情報格納部４を制御する。
【００８３】
コンピュータ端末環境管理部６は、各ユーザの通信環境やコンピュータ端末環境を管理する。
【００８４】
コンテンツ情報格納部４は、各映像コンテンツについて、複数のサイズ・ファイル形式の映像コンテンツを管理・格納し、検索要求に基づいて映像コンテンツを検索する。
【００８５】
図９は、本発明の第２の実施の形態における動作のフローチャートであり、サーバがユーザの通信環境やコンピュータ端末環境に応じた映像コンテンツを検索し、それらのバッファリングされた映像コンテンツを提示し、映像再生や映像再生操作の同期の制約を軽減する動作の基本処理アルゴリズムの一例を示す。
【００８６】
ステップ２１０）  コンピュータ端末環境管理部６は、各ユーザの通信環境やコンピュータ端末環境を管理し、各ユーザがシステムにログインした時等に、各ユーザの通信環境やコンピュータ端末環境を映像コンテンツ情報格納部４に渡す。
【００８７】
また、コンピュータ端末環境管理部６は、各ユーザがシステムにログインした時等に、映像コンテンツ情報格納部４から、各ユーザの通信環境やコンピュータ端末環境に応じた映像コンテンツを受け取り、各ユーザのコンピュータ端末に対して、コンピュータ端末環境管理部６内にバッファリングされた映像コンテンツを送信する。
【００８８】
ステップ１０３）当該処理は、前述の第１の実施の形態におけるステップ１０３の処理と同様に、コンテンツ情報格納部４は、コンピュータ端末環境管理部６からの検索要求に基づいて、各ユーザの通信環境やコンピュータ端末環境を検索する。
【００８９】
次に、コンピュータ端末環境管理部６の動作のユーザの通信環境やコンピュータ端末環境に応じたバッファリングされた映像コンテンツを提示する際の動作を詳細に説明する。
【００９０】
図１０は、本発明の第２の実施の形態におけるコンピュータ端末環境管理部の動作のフローチャートである。
【００９１】
ステップ２２１）  コンピュータ端末環境管理部６は、各ユーザがシステムにログインした時等に、各ユーザの通信環境やコンピュータ環境に応じた映像コンテンツをコンテンツ情報格納部４から取得する。
【００９２】
なお、各ユーザの通信環境やコンピュータ端末環境に応じた映像コンテンツを取得するタイミングは、例えば、１）ユーザがシステムにログインした時、２）映像コンテンツの初回再生時等のタイミングから組み合わせて選択する。
【００９３】
また、通信環境やコンピュータ端末環境に応じた映像コンテンツは、例えば、１）サイズ、２）ファイル形式等により複数ある映像コンテンツから選択される。
【００９４】
なお、通信環境やコンピュータ端末環境は、ハード的な要因とコンピュータ端末で利用される複数のプレーヤの種類等のようにソフト的な要因を含む。
【００９５】
ステップ２２２）  コンピュータ端末環境管理部６は、各ユーザがシステムにログインした時等に、各ユーザのコンピュータ端末に対して、各ユーザの通信環境やコンピュータ端末環境に応じたバッファリングされている映像コンテンツを提示する。
【００９６】
なお、バッファリングされている映像コンテンツを提示するタイミングは、例えば、
１）ユーザがシステムにログインした時、
２）ユーザのコンピュータ端末への通信に余裕のある時
等のタイミングから組み合わせて選択する。
【００９７】
［第３の実施の形態］
本実施の形態では、映像を共有し、映像の表示制御を同期する方法やシステムで、映像コンテンツに関する付加情報を集計・提示する例を説明する。
【００９８】
図１１は、本発明の第３の実施の形態におけるサーバの構成を示す。
【００９９】
同図に示すサーバは、制御部１、映像コンテンツ表示操作指定部２、映像コンテンツ表示操作内容提示部５、映像コンテンツ付加情報格納部７から構成される。なお、同図では、本実施の形態を実現するたに必要なこの４つの構成要素のみを記載しているが、前述の図３の構成に、映像コンテンツ付加情報格納部７を付加した構成としてもよい。
【０１００】
映像コンテンツ付加情報格納部７は、映像コンテンツ付加情報を格納し、映像コンテンツ表示操作指定部２からユーザが指定する映像コンテンツＩＤ，映像再生操作者ＩＤ、映像再生操作情報、映像中のポジション等の映像再生操作に関する情報とコメントに関する情報を受け取り、映像再生操作回数、コメント数、コメント内容等の情報を集計し、映像コンテンツ付加情報として格納する。
【０１０１】
図１２は、本発明の第３の実施の形態における動作のフローチャートであり、サーバが全てのユーザのコンピュータ端末に対して、映像コンテンツに関する付加情報を一括して管理し、各ユーザのコンピュータ端末で映像コンテンツに関する付加情報を集計・提示する動作の基本処理アルゴリズムの一例を示す。
【０１０２】
ステップ１０１）当該ステップは、第１の実施の形態のステップ１０１と同様の処理であり、映像コンテンツ表示操作指定部２は、ユーザのコンピュータ端末から、ユーザが指定する、映像コンテンツＩＤ、映像再生操作者ＩＤ、映像再生操作情報、映像中の歩維持ション等の映像再生操作に関する情報を受け取る。
【０１０３】
また、映像コンテンツ表示操作指定部２は、ユーザのコンピュータ端末から、ユーザが指定する、映像コンテンツＩＤ等のコメントに関する情報を受け取る。
【０１０４】
ステップ３０１）  映像コンテンツ付加情報格納部７は、映像コンテンツ付加情報を格納している。映像コンテンツ付加情報格納部７は、映像コンテンツ表示操作指定部２から、ユーザによって指定された、映像コンテンツＩＤ，映像再生操作者ＩＤ，映像再生操作情報、映像中のポジション等の映像再生操作に関する情報と、コメントに関する情報を受け取り、映像再生操作回数、コメント数、コメント内容等の情報を集計し、映像コンテンツ付加情報として格納する。
【０１０５】
ステップ１０４）前述の第１の実施の形態のステップ１０４と同様に、映像コンテンツ表示操作内容提示部５は、映像コンテンツ付加情報格納部７から、映像再生操作回数、コメント数、コメント内容等の映像コンテンツに関する付加情報を受け取り、それらに基づき、全てのユーザのコンピュータ端末に対して映像操作内容を一括して提示する。
【０１０６】
映像コンテンツ表示操作内容提示部５は、映像コンテンツ表示操作指定部２が、ユーザのコンピュータ端末から、ユーザが指定する、映像コンテンツＩＤ，映像再生操作者ＩＤ，映像再生操作情報、映像中のポジション等の映像再生操作に関する情報を受け取ったとき、及び任意の時間間隔毎に、すべてのユーザのコンピュータ端末に対して映像操作内容を一括して提示する。
【０１０７】
次に、上記のステップ３０１における映像コンテンツ付加情報格納部７での、映像再生操作に関する情報とコメントに関する情報から、映像再生操作回数、コメント数、コメント内容等の情報を集計し、格納する動作について詳細に説明する。
【０１０８】
図１３は、本発明の第３の実施の形態における映像コンテンツ付加情報格納部の動作のフローチャートである。
【０１０９】
ステップ３０１１）  映像コンテンツ付加情報格納部７は、映像コンテンツ表示操作指定部２から映像再生操作に関する情報、あるいは、コメントに関する情報を受け取る。
【０１１０】
ステップ３０１２）  映像コンテンツ付加情報格納部７は、格納している映像コンテンツ付加情報と、受け取った映像再生操作に関する情報と、コメントに関する情報を用いて、映像コンテンツ付加情報を集計し直す。
【０１１１】
集計する映像コンテンツ付加情報とは、映像コンテンツ毎の再生、一時停止、リスターと、停止、早送り、巻き戻しなどの映像再生操作毎の回数等の映像再生操作に関する上表や、映像コンテンツ毎のコメント数、コメント内容等の映像再生操作とは直接関係しない情報等のような、映像コンテンツに付加することが可能な情報である。
【０１１２】
ステップ３０１３）  映像コンテンツ付加情報格納部７は、集計し直した映像コンテンツ付加情報を格納し直す。
【０１１３】
［第４の実施の形態］
本実施の形態は、前述の第１の実施の形態〜第３の実施の形態を複合させた例であり、複数のコンピュータ端末間で映像を共有し、映像の表示制御を同期する方法やシステムで、映像操作内容の提示と映像再生操作の権利制御と、コンピュータ端末環境や通信環境に応じた映像コンテンツを活用し、映像再生や映像再生操作の同期の制約の軽減と、映像コンテンツに関する付加情報の集計・提示を行う例を説明する。
【０１１４】
図１４は、本発明の第４の実施の形態におけるサーバの構成を示す。
【０１１５】
同図に示すサーバは、制御部１、映像コンテンツ表示操作指定部２、映像コンテンツ表示制御操作管理部３、映像コンテンツ情報格納部４、映像コンテンツ表示操作内容提示部５、コンピュータ端末環境管理部６、映像コンテンツ付加情報格納部７から構成される。
【０１１６】
制御部１は、これらの各構成要素を制御する。
【０１１７】
映像コンテンツ表示操作指定部２は、ユーザのコンピュータ端末から映像再生操作に関する情報とコメントに関する情報を受け取る。
【０１１８】
映像コンテンツ表示制御操作管理部３は、映像再生操作の操作権を管理し、操作権を有するユーザのコンピュータ端末を管理する。
【０１１９】
映像コンテンツ情報格納部４は、指定された映像コンテンツＩＤの映像コンテンツに関する情報を格納し、検索要求に応じて格納されている情報を検索する。また、各ユーザの通信環境やコンピュータ端末環境に応じて映像コンテンツを検索する。
【０１２０】
映像コンテンツ表示操作内容提示部５は、ユーザのコンピュータ端末に対して映像操作内容を一括して提示する。
【０１２１】
コンピュータ端末環境管理部６は、各ユーザの通信環境やコンピュータ端末環境を管理する。
【０１２２】
映像コンテンツ付加情報格納部７は、指定された映像コンテンツＩＤの映像再生操作に関する情報とコメントに関する情報を集計・格納する。
【０１２３】
次に、上記の構成における動作を説明する。
【０１２４】
以下では、サーバが全てのユーザのコンピュータ端末に対して、映像操作内容と映像コンテンツに関する付加情報と映像再生操作の権利制御を一括して管理し、各ユーザのコンピュータ端末で映像操作内容の提示と映像コンテンツに関する付加情報の集計・提示と映像再生操作の権利制御をする。また、サーバがユーザの通信環境やコンピュータ端末環境に応じた映像コンテンツを検索し、それらのバッファリングされた映像コンテンツを提示し、映像再生や映像再生操作の同期の制約を軽減する動作について説明する。
【０１２５】
図１５は、本発明の第４の実施の形態における動作のフローチャートである。
【０１２６】
以下の説明では、前述の第１〜第３の実施の形態と同一の動作については、これらの実施の形態におけるステップ番号を用いて説明する。
【０１２７】
ステップ１０１）  映像コンテンツ表示操作指定部２は、ユーザのコンピュータ端末から、ユーザが指定する、映像コンテンツＩＤ、映像再生操作者ＩＤ、映像再生操作情報、映像中のポジション等の映像再生操作に関する情報を受け取る。
【０１２８】
また、映像コンテンツ表示操作指定部２は、ユーザのコンピュータ端末から、ユーザが指定する、映像コンテンツＩＤ等のコメントに関する情報を受け取る。
【０１２９】
ステップ１０２）  映像コンテンツ表示制御操作管理部３は、映像再生操作の操作権を管理し、操作権を有するユーザのコンピュータ端末から映像再生操作に関する情報のみを有効な映像再生操作と見做す。あるいは、映像コンテンツ表示制御操作管理部３は、映像再生操作の操作権を管理し、操作権を有するユーザのコンピュータ端末のみに、映像再生操作の権利を渡す。
【０１３０】
ステップ２１０）  コンピュータ端末環境管理部６は、各ユーザの通信環境やコンピュータ端末環境を管理し、各ユーザがシステムにログインした時等に、各ユーザの通信環境やコンピュータ端末環境を映像コンテンツ情報格納部４に渡す。また、コンピュータ端末環境管理部６は、各ユーザがシステムにログインした時等に、映像コンテンツ情報格納部４から、各ユーザの通信環境やコンピュータ端末環境に応じた映像コンテンツを受け取り、各ユーザのコンピュータ端末に対して、バッファリングされた映像コンテンツを提示する。
【０１３１】
ステップ１０３）  映像コンテンツ情報格納部４は、映像コンテンツ表示操作指定部２から、ユーザにより指定された、映像コンテンツＩＤを受け取り、映像コンテンツ登録者、映像コンテンツ名称等の映像コンテンツに関する情報を検索する。また、映像コンテンツ情報格納部４は、各映像コンテンツについて、複数のサイズ・ファイル形式の映像コンテンツを管理・格納しており、コンピュータ端末環境管理部６から、各ユーザの通信環境やコンピュータ端末環境を受け取り、各ユーザの通信環境やコンピュータ端末環境に応じた映像コンテンツを検索する。
【０１３２】
ステップ３０１）  映像コンテンツ付加情報格納部７は、映像コンテンツ付加情報を格納しており、映像コンテンツ表示操作指定部２から、ユーザが指定する、映像コンテンツＩＤ、映像再生操作者ＩＤ、映像再生操作情報、映像中のポジション等の映像再生操作に関する情報と、コメントに関する情報を受け取り、映像再生操作回数、コメント数、コメント内容等の情報を集計し、映像コンテンツ付加情報として格納する。
【０１３３】
ステップ１０４）  映像コンテンツ表示操作内容提示部５は、映像コンテンツ表示操作指定部２と映像コンテンツ情報格納部４と映像コンテンツ付加情報格納部７から、映像コンテンツ登録者ＩＤ，映像コンテンツ名称等の映像コンテンツに関する情報と、映像再生操作者ＩＤ、映像再生操作情報、映像中のポジション等の映像再生操作に関する情報と、映像再生操作回数、コメント数、コメント内容等の映像コンテンツに関する付加情報を受け取り、それらに基づき、全てのユーザのコンピュータ端末に対して映像操作内容を一括して提示する。
【０１３４】
映像コンテンツ表示操作内容提示部５は、映像コンテンツ表示操作指定部２が、ユーザのコンピュータ端末から、ユーザが指定する、映像コンテンツＩＤ、映像再生操作者ＩＤ，映像再生操作、映像中のポジション等の映像再生操作に関する情報を受け取ったとき、及び、任意の時間間隔毎に、全てのユーザのコンピュータ端末に対して映像操作内容を一括して提示する。
【０１３５】
なお、上記の第１〜第４の実施の形態における、図３、図８、図１１、図１４に示すサーバの各部の一部もしくは全部を情報機器を用いて実現することができる。
【０１３６】
また、上記の第１〜第４の実施の形態における、図４〜図７、図９，図１０、図１２、図１３、図１５のフローチャートに示す動作をプログラムとして構築し、サーバとして利用されるコンピュータにインストールして実行させる、または、ネットワークを介して流通させることが可能である。
【０１３７】
また、構築されたプログラムをサーバとして利用されるコンピュータに接続されるハードディスク、または、フレキシブルディスク、ＣＤ−ＲＯＭ等の可搬記憶媒体等に記録しておき、コンピュータにインストールして実行する、または、保存、配布を行うことが可能である。
【０１３８】
なお、本発明は、上記の実施の形態に限定されることなく、特許請求の範囲内において種々変更・応用が可能である。
【産業上の利用可能性】
【０１３９】
本発明は、インターネット等のネットワークを介して、遠隔多地点に分散した複数のユーザのコンピュータ端末間で、映像コンテンツを共有する、あるいは共有して活用する映像共有方法・システム等に適用可能である。
【図面の簡単な説明】
【０１４０】
【図１】本発明の原理を説明するための図である。
【図２】本発明の原理構成図である。
【図３】本発明の第１の実施の形態におけるサーバの構成図である。
【図４】本発明の第１の実施の形態における動作のフローチャートである。
【図５】本発明の第１の実施の形態における映像コンテンツ表示制御操作管理部の動作のフローチャート（その１）である。
【図６】本発明の第１の実施の形態における映像コンテンツ表示制御操作管理部の動作のフローチャート（その２）である。
【図７】本発明の第１の実施の形態における映像コンテンツ表示操作内容提示部の動作のフローチャートである。
【図８】本発明の第２の実施の形態におけるサーバの構成図である。
【図９】本発明の第２の実施の形態における動作のフローチャートである。
【図１０】本発明の第２の実施の形態におけるコンピュータ端末環境管理部の動作のフローチャートである。
【図１１】本発明の第３の実施の形態におけるサーバの構成図である。
【図１２】本発明の第３の実施の形態における動作のフローチャートである。
【図１３】本発明の第３の実施の形態における映像コンテンツ付加情報格納部の動作のフローチャートである。
【図１４】本発明の第４の実施の形態におけるサーバの構成図である。
【図１５】本発明の第４の実施の形態における動作のフローチャートである。
【符号の説明】
【０１４１】
１  制御部
２  ユーザ指示受付手段、映像コンテンツ表示操作指定部
３  操作権管理手段、映像コンテンツ表示制御管理部
４  映像コンテンツ情報記憶手段、映像コンテンツ情報格納部
５  提示手段、映像コンテンツ表示操作内容提示部
６  コンピュータ端末環境管理部
７  映像コンテンツ付加情報格納部
１０  検索手段
【図１】
2006108895.tif 000003
【図２】
2006108895.tif 000004
【図３】
2006108895.tif 000005
【図４】
2006108895.tif 000006
【図５】
2006108895.tif 000007
【図６】
2006108895.tif 000008
【図７】
2006108895.tif 000009
【図８】
2006108895.tif 000010
【図９】
2006108895.tif 000011
【図１０】
2006108895.tif 000012
【図１１】
2006108895.tif 000013
【図１２】
2006108895.tif 000014
【図１３】
2006108895.tif 000015
【図１４】
2006108895.tif 000016
【図１５】
2006108895.tif 000017